(57)【要約】  本発明は、家具体内の閉位置にて可動状態に支持可能な家具部（３）の少なくとも一部をシールするためのシールリップ（２）を備えた家具体に関する。この家具体は、その閉位置で前記家具部（３）を加圧することで起動可能な放出器が家具部に提供されており、シールリップ（２）は、圧縮可能に設計されており、家具部（３）は、その閉位置から放出器が起動されるまで家具体内に押し込まれる。【選択図】図２ａ
2010518921.tif 000002
【特許請求の範囲】
【請求項１】
家具体内の閉位置にて可動状態に支持可能な家具部の少なくとも一部をシールするためのシールリップを備えた家具体であって、
その閉位置で前記家具部を加圧することで起動可能な放出器が該家具部に提供されており、
前記シールリップは、前記放出器が起動されるまで本家具体内にその閉位置から前記家具部を押し出すことが可能となるように圧縮可能にされており、
前記家具部（３）の閉位置で、スラスト部材（５）を備えた緩衝体（４）は、該スラスト部材（５）が本家具体（１）から実質的に前記シールリップ（２）にまで飛び出せるようにされていることを特徴とする家具体。
【請求項２】
家具部（３）のための引出レール（６）を備えた延長ガイドが本家具体（１）に設置されており、緩衝具（４）が、該引出レール（６）と本家具体（１）との間に設置されていることを特徴とする請求項１記載の家具体。
【請求項３】
シールリップ（２）は、本家具体に取り付けられる取付部と、家具部に押し付けられる接触部とを有しており、
該接触部は、該取付部に接続される第１縁部を有しており、
該接触部（１１）は、該第１縁部（１２）から離れている非接続状態の自由な第２縁部を有していることを特徴とする請求項１または２に記載の家具体。
【請求項４】
シールリップ（２）は、本家具体に取り付けられる取付部と、家具部に押し付けられる接触部とを有しており、
該接触部（１１）は、少なくとも１つの仲介部（１６）を介して前記取付部（１４）に接続されており、
該仲介部（１６）は、所定のキンク形状部（１７）を有していることを特徴とする請求項１または２に記載の家具体。
【請求項５】
接触部（１１）、取付部（１４）およびオプションの仲介部（１７）は、一体的に提供されていることを特徴とする請求項３または４に記載の家具体。
【請求項６】
取付部（１４）には、本家具体（１）に取り付けるための少なくとも１つの係留突出部（１８）が提供されていることを特徴とする請求項３から５のいずれかに記載の家具体。
【請求項７】
接触部（１１）には、ＰＥ帯体等である摩擦軽減材料で成る部材が提供されていることを特徴とする請求項３から６のいずれかに記載の家具体。
【発明の詳細な説明】
【技術分野】
【０００１】
本発明は、その閉位置で家具体に可動状態で支持されている少なくとも１つの家具部をシール（封止）するためのシールリップを有した家具体に関する。
【背景技術】
【０００２】
今日まで、このような家具体（家具骨組み）の問題は、家具体に移動式に搭載され、その閉位置で押圧力を加えることで始動できる可動家具部には、従来式の放出器は使用できなかったことである。この理由は、使用されているシールリップによって、放出器を起動するための家具部の家具体内への押し込みが妨害されたからである。
【先行技術文献】
【特許文献】
【０００３】
【特許文献１】国際公開第ＷＯ２００６/０１７８６４Ａ１号パンフレット
【発明の概要】
【発明が解決しようとする課題】
【０００４】
よって、本発明の目的は、上述の問題を解消させる家具体を提供することである。
【課題を解決するための手段】
【０００５】
この目的は、「請求項１」の特徴を備えた家具体によって達成される。
【０００６】
下記で詳細に解説するが、本発明のシールリップのおかげで、家具部に圧力を加えることで家具部を始動させる従来の放出器がシールリップと組み合わされて使用できる。
【０００７】
可動家具部には、しばしば、可動家具部をその閉位置にまで引き入れる引入装置が提供されている。家具部によるシールリップへの継続的な加圧により引き起こされるシールリップの永久的な変形を防止するため、スラスト部材を備えた緩衝体が提供される。スラスト部材は、実質的に家具体から家具部の閉位置のシールリップにまで飛び出る。この手法は、好適には電動である放出器の起動のために精密仕様の押入れ移動を提供するだけではなく、家具部の引入装置によるシールリップの変形を回避させる。
【０００８】
家具部のための引出レールを有した延長ガイドが家具体に提供されていれば、緩衝体は、引出レールと家具体との間に好都合に配置できる。
【０００９】
例えば、引出家具部、家具扉または家具フラップが本発明が対象とする可動家具部に含まれる。本例の場合は、電動であるが、家具部のための放出器は、例えば特許文献１で、いくつかの異なる実施例として開示されている。よってここでは詳述しない。
【００１０】
前述の実施例の１つに従って家具体に利用できる形態にシールリップを設計する種々な仕様が存在する。
【００１１】
例示すれば、シールリップには、家具体への取り付けのための取付部と、家具部と接触して支える接触部とが提供される。この接触部は、取付部に接続する第１縁部を有している。この場合、本発明の効果は、第１縁部から離れている自由な（非接続状態の）第２縁部を有した接触部により提供される。
【００１２】
接触部が両縁部で取付部に接続され、シールリップの長手方向に延びる封閉通路を提供する従来のシールリップの場合とは異なり、本発明のシールリップでは、圧縮時にその圧縮に対抗する強力な反作用を発生させず、接触部は、取付部にピタリと押し付けられる。言い換えれば、本発明の手法は、１縁部が開いた状態の通路を有したシールリップを提供する。
【００１３】
そのようなシールリップに対する圧縮時には、取付部に対する接触部の旋回移動と、接触部と当接する家具部におけるその旋回に関連する相対移動が発生するため、好適には接触部には、例えばポリエチレン帯体（ＰＥ帯体またはＰＶＣ１１３４の帯体）である摩擦軽減材料で成る部材が提供される。
【００１４】
別形態の本発明のシールリップも家具体に取り付けるための取付部と、家具部に押し付けられる接触部とを有している。しかし、本発明のこの実施形態は、接触部を少なくとも１箇所のキンク形状仲介部を介して取付部に接続させている。圧縮状況での接触部の圧縮は、所定のキンク形状部（キンク位置）（実際には、シールリップに沿って長手方向に延びるキンク線）により賄われる。これで圧縮作用に対抗する反発力が実質的に軽減される。
【００１５】
第１縁部が取付部に接続された状態にて、第２縁部に接続された１つだけの仲介部が提供されていると、この実施形態は、取付部に対する接触部の旋回を発生させる。この場合、摩擦軽減材料の部材が有効に作用する。
【００１６】
本発明のシールリップの両実施形態では、接触部、取付部、およびオプションの仲介部は一体的に形成されている。
【００１７】
全実施形態において、接触部は、例えばプラスチック材料ＥＭＰＰ５０３で成る。
【００１８】
加えて、家具体に着実に取り付けるために取付部には、少なくとも１つの係留突出部を提供することもできる。
【００１９】
本発明のさらなる利点と詳細は、添付図面と、それらの関連説明から理解されるであろう。
【図面の簡単な説明】
【００２０】
【図１】図１は、家具体の斜視図である。
【図２ａ】図２ａは、家具部の上部に提供されている前面パネルが取り外されている状態の図１で図示する家具体を斜視図および２つの詳細図で示したものである。
【図２ｂ】図２ｂは、家具部の上部に提供されている前面パネルが取り外されている状態の図１で図示する家具体を斜視図および２つの詳細図で示したものである。
【図２ｃ】図２ｃは、家具部の上部に提供されている前面パネルが取り外されている状態の図１で図示する家具体を斜視図および２つの詳細図で示したものである。
【図３ａ】図３ａは、本発明の緩衝具の正面および背面の分解図である。
【図３ｂ】図３ｂは、本発明の緩衝具の正面および背面の分解図である。
【図３ｃ】図３ｃは、本発明の緩衝具の正面および背面の分解図である。
【図４ａ】図４ａは、様々な作動位置にある図３ａから図３ｃで図示した緩衝具の平面図である。
【図４ｂ】図４ｂは、様々な作動位置にある図３ａから図３ｃで図示した緩衝具の平面図である。
【図４ｃ】図４ｃは、様々な作動位置にある図３ａから図３ｃで図示した緩衝具の平面図である。
【図５ａ】図５ａは、非圧縮状態と圧縮状態にある従来型シールリップを図示したものである。
【図５ｂ】図５ｂは、非圧縮状態と圧縮状態にある従来型シールリップを図示したものである。
【図６ａ】図６ａは、非圧縮状態にある本発明のシールリップの様々な実施例を示したものである。
【図６ｂ】図６ｂは、非圧縮状態にある本発明のシールリップの様々な実施例を示したものである。
【図６ｃ】図６ｃは、非圧縮状態にある本発明のシールリップの様々な実施例を示したものである。
【図６ｄ】図６ｄは、非圧縮状態にある本発明のシールリップの様々な実施例を示したものである。
【図６ｅ】図６ｅは、非圧縮状態にある本発明のシールリップの様々な実施例を示したものである。
【図７ａ】図７ａは、圧縮状態にある図６ａから図６ｅのシールリップを示したものである。
【図７ｂ】図７ｂは、圧縮状態にある図６ａから図６ｅのシールリップを示したものである。
【図７ｃ】図７ｃは、圧縮状態にある図６ａから図６ｅのシールリップを示したものである。
【図７ｄ】図７ｄは、圧縮状態にある図６ａから図６ｅのシールリップを示したものである。
【図７ｅ】図７ｅは、圧縮状態にある図６ａから図６ｅのシールリップを示したものである。
【発明を実施するための形態】
【００２１】
【実施例１】
【００２２】
図１で示す家具体には、移動可能状態で引出形態の３つの家具部３が搭載されている。シールリップ２が４箇所で家具体１の周囲をシール状態とするように設置されている。
【００２３】
この構成は、図２ａから図２ｃでさらに詳細に示されている。これらの図では、家具部３の上部の前面パネルが取り外されている。これで本発明の第１実施形態による前面パネルと家具体１との間に設置されたシールリップを見ることができる。家具体レール７と引出レール６とを含む引出家具部のための延出ガイドも見ることができる。緩衝具４は、引出レール６と家具体１との間に設置されている。このため、非常に薄型の緩衝具４が要求される。
【００２４】
緩衝具４の形態は、図３ａから図３ｃにかけて提供されている。緩衝具４は、ハウジング内で移動可能に搭載されているスラスト部材５を有する。スラスと部材５は、２つのバネ８の反発力に抗してハウジング内に押し込まれ、ハウジング内でアバットメント９によって反発位置に保持される。
【００２５】
図４ａは、反発位置にある緩衝具４を図示する。すなわちスラスト部材５は、ハウジングから最大限度、飛び出している。
【００２６】
図４ｂでは、スラスト部材５は、図４ｂでは、図示されていない家具部の前面パネルを介してハウジング内に幾分押し込まれている状態を図示する。
【００２７】
図４ｃは、最大限にハウジング内に押し込まれた状態のスラスト部材５を示す。この状態にて、家具部３は、家具部３の電動式放出器（図示せず）を起動させるように家具体１内に押し込まれている。
【００２８】
図５ａは、家具体１に取り付けるための取付部１４と、家具部３に押し付けられる接触部１１とを有した従来型シールリップ２を示す。接触部１１は、半筒形状であり、取付部１４と共にシールリップ２の長手方向に封閉通路を形成している。
【００２９】
図５ｂは、このシールリップ２の圧縮状態を示す。
【００３０】
図６ａから図６ｅは、本発明のシールリップ２の様々な実施例を図示する。
【００３１】
図６ａの実施形態では、接触部１１は、１縁部のみで取付部１４に接続されている。従来とは異なり、第２縁部は、自由（非接続）であり、全体として半開通路を提供する。係留突出部１８が家具体１に取付部１４を係留するために提供されている。
【００３２】
図６ｂの実施形態では、接触部１１は、１縁部１２のみで取付部１４に接続されている。
【００３３】
しかし、第２縁部は、自由状態ではなく、仲介部１６を介して取付部１４に接続されている。仲介部１６が所定のキンク形状部１７を有していることは重要である。この実施例では、摩擦軽減材料で成る帯形状部１５が摩擦を軽減させるために接触部１１に提供されている。
【００３４】
図６ｃの実施形態では、接触部１１の両縁部は、所定のキンク形状部１７を有した仲介部１６を介して取付部１４に接続されている。
【００３５】
図６ｄの実施形態では、シールリップ２は、自由縁部１３を有する（図６ａ同様）。しかし、図６ａの実施例とは異なり、ここでは、接触部１１は、実質的に平坦であり、摩擦軽減材料の部材１５を有している。
【００３６】
図６ｅの実施例では、接触部１１は凸状であり、所定のキンク形状部１７を有した２つの仲介部１６を介して取付部１４に接続されている（図６ｃ同様）。
【００３７】
図７ａから図７ｅは、最大限に圧縮されている状態の図６ａから図６ｅで図示するシールリップ２を示す。
【図１】
2010518921.tif 000003
【図２ａ】
2010518921.tif 000004
【図２ｂ】
2010518921.tif 000005
【図２ｃ】
2010518921.tif 000006
【図３ａ】
2010518921.tif 000007
【図３ｂ】
2010518921.tif 000008
【図３ｃ】
2010518921.tif 000009
【図４ａ】
2010518921.tif 000010
【図４ｂ】
2010518921.tif 000011
【図４ｃ】
2010518921.tif 000012
【図５ａ】
2010518921.tif 000013
【図５ｂ】
2010518921.tif 000014
【図６ａ】
2010518921.tif 000015
【図６ｂ】
2010518921.tif 000016
【図６ｃ】
2010518921.tif 000017
【図６ｄ】
2010518921.tif 000018
【図６ｅ】
2010518921.tif 000019
【図７ａ】
2010518921.tif 000020
【図７ｂ】
2010518921.tif 000021
【図７ｃ】
2010518921.tif 000022
【図７ｄ】
2010518921.tif 000023
【図７ｅ】
2010518921.tif 000024
【国際調査報告】
2010518921.tif 000025
2010518921.tif 000026
2010518921.tif 000027
2010518921.tif 000028